(57)【要約】【課題】表面側の一部領域に機能デバイス等が埋め込まれたスリムボディの電子機器本体の背面に装着され、電子機器本体の電気系に電力を供給する電池パックにおいて、機能デバイス等と干渉せずに、電池容量を確保しながら、回路基板に実装する電子部品を幅広く選択できるようにする。【解決手段】電池パック１は、皿状の第１ケース部材１０の底板部１１上に、複数の二次電池２０と、これら二次電池２０に電気接続された回路基板３０とが並列に配設され、複数の二次電池２０における上面（底板部１１と反対側の面）は、ラベル４１，４２で覆われ、回路基板３０の上面は第２ケース部材５０で覆われて構成されている。第２ケース部材５０の中央部分５０ａは、左側部５０ｂ，右側部５０ｃよりも下方に下がった位置にある。この中央部分５０ａには窓５１が開設され、窓５１を塞ぐラベル４３が貼り付けられている。この電池パック１は機器本体の背面側に装着される。【選択図】  図２
2013114862.tif 000002
【特許請求の範囲】
【請求項１】
スリムボディの電子機器本体の一部に機能デバイスが埋め込まれ、この機能デバイスの背後を跨ぐように装着され、前記電子機器本体の電気系へ電力を供給する電池パックであって、
偏平な二次電池と当該二次電池に接続された回路基板とが皿状の第１ケース部材の内底面に並列状に配置され、
前記回路基板が機能デバイスの背後に存し、前記二次電池が機能デバイスの背後に存しない位置関係で、前記二次電池の上面が第１ラベルで覆われた状態で、前記電子機器本体に装着されており、
更に、前記回路基板の上面は、第２ケース部材で覆われ、
前記第２ケース部材の上面における前記機能デバイスに対応する領域は、前記二次電池の上面を覆う第１ラベルよりも第１ケース部材の底面に近い位置にあり、
当該領域に回路基板側の電子部品を収容する窓が開設されていると共に、当該窓を塞ぐ第２ラベルが貼り付けられていることを特徴とする電池パック。
【請求項２】
前記機能デバイスは、前記電子機器本体における中央部に存在し、
前記第１ケース部材の内底面上において、
前記二次電池は、複数個が前記回路基板を間に挟んで配置されていることを特徴とする請求項１記載の電池パック。
【発明の詳細な説明】
【技術分野】
【０００１】
本発明は、二次電池及び回路基板が収納された電池パックに関し、特に、ノート型パーソナルコンピュータなど、薄型の電子機器に装着して電力を供給する電池パックに関する。
【背景技術】
【０００２】
近年、携帯用の電子機器において機器本体に装着して装置の電気系に電力を供給する電池パックが用いられている。この電池パックは通常、ケース内に、二次電池及び回路基板が収納されて構成されている。
ノート型パソコンなど、スリムボディの電子機器装置に装着される電池パックにおいては、平板状の樹脂製ケースの中に、二次電池及び回路基板が並べて配置され、電子機器装置本体の背面に着脱されるようになっている。
【０００３】
ところでノート型パソコンにおいては、装置本体の上面側にキーボードが配され、その前方にタッチパッドなどのポインティングデバイスが配置されているものも多い。
このようなノート型パソコンにおいて、電池容量を確保しながら装置をより薄くする要求があり、それに応えるため、例えば特許文献２に開示された電池パックでは、装置本体の前方側に電池パックを配置し、ポインティングデバイスの位置には回路基板を配置し、二次電池はポインティングデバイスの両横に配設して、これによって、電池パックを薄くしながら、ポインティングデバイスとの干渉を避け且つ二次電池の電池容量を確保することを可能にしている。
【先行技術文献】
【特許文献】
【０００４】
【特許文献１】特開２００７−１１５０９１号公報
【特許文献２】特開２０１１−４４３５９号公報
【発明の概要】
【発明が解決しようとする課題】
【０００５】
しかし、上記のように二次電池と回路基板とを並列に配置し、回路基板のところでケース厚みを薄くした電池パックにおいては、回路基板のところではケースの内部スペースの高さも小さくなるので、回路基板に実装できる電子部品の高さも制限されてしまう。
本発明は、表面側の一部にポインティングデバイス等の機能デバイスが埋め込まれたスリムボディの電子機器本体の背後に装着され、電子機器本体の電気系に電力を供給する電池パックにおいて、機能デバイスと干渉せずに、電池容量を確保しながら、回路基板に実装する電子部品を幅広く選択できるようにすることを目的とする。
【課題を解決するための手段】
【０００６】
上記目的を達成するため、本発明に係る電池パックは、
偏平な二次電池と当該二次電池に接続された回路基板とを、皿状の第１ケース部材の内底面に並列状に配置し、回路基板が機能デバイスの背後に存し、二次電池が機能デバイスの背後に存しない位置関係で、二次電池の上面が第１ラベルで覆われた状態で、電子機器本体に装着し、更に、回路基板の上面を、第２ケース部材で覆い、第２ケース部材の上面における機能デバイスに対応する領域は、二次電池の上面を覆う第１ラベルよりも第１ケース部材の底面に近い位置に設け、当該領域に回路基板側の電子部品を収容する窓を開設すると共に、当該窓を塞ぐ第２ラベルを貼り付けることとした。
【０００７】
上記電池パックにおいて、第１ケース部材の内底面上において、二次電池を複数個、回路基板を間に挟むように配置することが好ましい。
【発明の効果】
【０００８】
上記電池パックにおいては、皿状の第１ケース部材の内底面に偏平な二次電池と回路基板とが並列状に配置され、二次電池の上面は第１ラベルで覆われ、回路基板の上面は第２ケースで覆われ、第２ケース部材の上面において、装置本体の機能デバイスに対応する領域は、電池パックの上面よりも、第１ケース部材の底面に近い位置に存在しているので、機能デバイスとの干渉を避けながら、二次電池の容量を確保することができる。
【０００９】
また、回路基板の上面を覆う第２ケースに窓が開口され、その窓が第２ラべルで覆われているので、回路基板に実装されている電子部品の一部がその窓に入り込むことができる。
すなわち、第２ケースに開口された窓を電子部品を収容するスペースとして利用できるので、窓が開口されていない場合と比べると、より高さの高い電子部品を回路基板に実装することができる。従って、回路基板に実装する電子部品の選択幅が拡がる。
【００１０】
機能デバイスが、電子機器本体における中央部に存在する場合、上記電池パックにおいて、第１ケース部材の内底面上に、二次電池複数個を回路基板を間に挟んで配置すれば、電池パックの中央部に凹みが形成され、機能デバイスとの干渉を避けながら二次電池の容量を確保するのに適している。
【図面の簡単な説明】
【００１１】
【図１】実施の形態に係る電子機器を示す斜視図である。
【図２】図１に示す電池パック１の分解斜視図である。
【図３】電池パック１の部分拡大図であって、第２ケース部材５０の窓５１付近において電池パック１を切断した図である。
【図４】電池パック１の窓５１付近を機器本体２と共に切断した断面図である。
【発明を実施するための形態】
【００１２】
以下、図面を参照しながら、本発明の実施形態を説明する。
本実施形態では、電池パックを装着する電子機器がノートパソコンである場合を例に挙げて説明する。
＜電子機器の構成＞
図１は、実施の形態に係る電子機器を示す斜視図である。図２は、図１に示す電池パック１の分解斜視図である。  
【００１３】
この電子機器は、スリムボディのノートパソコンであって、平板状の機器本体２と、その機器本体２の後端にヒンジを介して回動可能に接続された表示部３を有している。機器本体２には、機能デバイスとしてポインティングデバイス６が埋め込まれて、電池パック１が機器本体２の背面側に、ポインティングデバイス６の背後を跨ぐように装着されている。
【００１４】
電池パック１が機器本体２に装着された状態では、電池パック１の底板部１１が、機器本体２の底板の一部を兼ねている。また、特に図示しないが、電池パック１が機器本体２の筐体の内部に収容されるようにして、電池パック１が機器本体２の外観に現れないように装着することもできる。
また機器本体２の上面側には、後方にキーボード４が埋め込まれ、前方にパームレスト部５が左右に対で存在し、左右のパームレスト部５の間にポインティングデバイス６が埋め込まれている。
【００１５】
ポインティングデバイス６は、位置，状態，方向などの情報を入力する装置であって、具体的にはタッチパッド及びクリックボタンである。
電池パック１は、機器本体２の背面側に装着される。その装着位置は、キーボード４よりも前方側であって、パームレスト部５及びポインティングデバイス６の下方に装着される。
【００１６】
電池パック１の前方にはコネクタ８が設けられており、このコネクタ８が機器本体２のコネクタ（不図示）に接続されることによって、電池パック１から機器本体２の電気系に電力が供給できるようになっている。
＜電池パック１の構成＞
電池パック１は、全体形状が、横方向に長い長方形状であって、パームレスト部５の背後に位置する左サイド部分１ｂ及び右サイド部分１ｃには二次電池２０が収納され、ポインティングデバイス６の背後に位置するセンター部分１ａには、二次電池２０は存在せず回路基板３０が存在している。
【００１７】
そして電池パック１の厚み（高さ）は、センター部分１ａが、左サイド部分１ｂ及び右サイド部分１ｃよりも薄く（低く）設定されて、装置本体２のポインティングデバイス６と干渉しないようになっている。
電池パック１は、皿状の第１ケース部材１０の内底面、すなわち底板部１１上に、複数の二次電池２０と、これら二次電池２０に電気接続された回路基板３０とが、並列状に配設され、これら複数の二次電池２０における上面（底板部１１に面する側とは反対側の面）は、第１ラベルとしてのラベル４１，４２で覆われ、回路基板３０の上面は第２ケース部材５０で覆われて構成されている。第２ケース部材５０におけるポインティングデバイス６に対応する中央部分５０ａには窓５１が開設され、中央部分５０ａの上面に第２ラベルとしてのラベル４３が窓５１を塞ぐように貼り付けられている。
【００１８】
以下、電池パック１を構成する各部材について説明する。
第１ケース部材１０は、底板部１１及び周壁部１２とを有する浅い皿状の部材であり、回路基板３０が収納されるセンター部分１０ａと、二次電池２０が収納される左サイド部分１０ｂ及び右サイド部分１０ｃとを有している。
左サイド部分１０ｂ及び右サイド部分１０ｃは、左右に間隙を開けて配置され、左サイド部分１０ｂと右サイド部分１０ｃの各々に、二次電池２０を複数個（４個）づつ並べて収納できるようになっている。そして、左サイド部分１０ｂと右サイド部分１０ｃとは、左右に伸長するセンター部分１０ａを介して連結されている。
【００１９】
図２に示すように、各二次電池２０は、偏平な角形の電池、例えば角形のリチウムイオン電池あるいはリチウムポリマー電池であって、底板部１１に沿って並べて配置されている。そして配列された複数の二次電池２０の上には、各二次電池２０と回路基板３０とを接続するリード板２１が、絶縁シートを介して配設されている。
回路基板３０は、二次電池２０を保護する回路などが形成された基板であって、回路基板３０の上には、電子部品３１ａ〜３１ｃが搭載されている。電子部品３１ａは回路基板３０の中央部に、電子部品３１ｂは回路基板３０の左側部に、電子部品３１ｃは回路基板３０の右側部に実装されている。
【００２０】
この回路基板３０は、第１ケース部材１０のセンター部分１０ａに填まり込み、第２ケース部材５０が回路基板３０の上に装着されている。
第１ケース部材１０、第２ケース部材５０は、一般に電池パック用のケースに用いられているポリエチレン、ポリプロピレン、ポリプロピレンエチレン、ポリエチレンテレフタレート、ポリカーボネート、ＡＢＳなどの樹脂を射出成型することによって成形されている。ケースの肉厚は、０．２〜２．０ｍｍ程度である。
【００２１】
ラベル４１，４２及びラベル４３は、ポリエチレンテレフタレート（ＰＥＴ）、ポリプロピレン（ＰＰ）などの合成樹脂シートを用いた外装ラベルであって、一般にパック電池に用いられているものである。ラベルの厚さは０．０５〜 ０．２ｍｍ程度であり、裏面に接着剤が塗布されている。
＜第２ケース部材５０の構成＞
第２ケース部材５０は、回路基板３０と同等のサイズであって、回路基板３０の上面を覆っている。
【００２２】
図３は、電池パック１の部分拡大図であって、第２ケース部材５０の窓５１付近において電池パック１を切断した図である。
図４は、電池パック１の窓５１付近を機器本体２と共に切断した断面図である。
図３，４に示すように、第２ケース部材５０の中央部分５０ａは、左側部５０ｂ，右側部５０ｃよりも下方に下がっているので、底板部１１により近い位置にある。
【００２３】
そして、この中央部分５０ａに窓５１が形成され、中央部分５０ａの上面に、窓５１を塞ぐラベル４３が貼り付けられている。
従って、回路基板３０の下面側は第１ケース部材１０で保護され、上面側は、窓５１の部分を除いて、第２ケース部材５０で保護される。窓５１の部分については、ケース部材で覆われないが、ラベル４３によって保護される。
【００２４】
なお、第２ケース部材５０の左側部５０ｂ，右側部５０ｃは、底板部１１からの高さが、二次電池２０上のリード板２１とほぼ同等であって、上記二次電池２０及びリード板２１を覆っているラベル４１，４２は、この左側部５０ｂ，右側部５０ｃの上面も覆っている。
＜電池パック１による効果＞
１．電池パック１は、皿状の第１ケース部材１０の底面上に、複数の二次電池２０と、これら二次電池２０に電気接続された回路基板３０とが並べて配され、二次電池２０の上面がラベル４１，４２で被覆されて構成されているので、全体的に薄くでき、薄型の機器本体２に装着するのに適している。
【００２５】
２．上述したように第２ケース部材５０の中央部分５０ａは、左側部５０ｂ，右側部５０ｃよりも高さが低く、電池パック１の中央部に凹みが形成されている。従って、図４に示すように、機器本体２において、ポインティングデバイス６の背面部分が下方に突出していても、その突出部分が凹みに入り込むことによって、ポインティングデバイス６と電池パック１との干渉を避けることができる。
【００２６】
一方、電池パック１における左サイド部分１０ｂ及び右サイド部分１０ｃでは、センター部分１０ａと比べて厚みが大きいので、そこに収納する二次電池２０の厚みを確保して、
電池パック１の電池容量を確保することができる。
３．上述したように、第２ケース部材５０の中央部分５０ａには、窓５１が開設され、その窓５１はラベル４３によって塞がれている。従って、電子部品３１ａの上部が窓５１に入り込むことができるので、その分だけ、回路基板３０に実装する電子部品３１ａとして高さの高いものを選択できる。すなわち、電子部品３１ａの選択幅が広がる。
【００２７】
なお、ラベル４３の厚みは、第２ケース部材５０の中央部分５０ａの厚みと比べるとかなり薄いので、ラベル４３がポインティングデバイス６と干渉する可能性は小さい。
＜変形例＞
上記実施形態では、ポインティングデバイス６が機器本体２の中央部に埋め込まれ、それに合わせて、電池パック１においても、センター部分１ａの高さが左サイド部分１ｂ及び右サイド部分１ｃの高さよりも低く設定されていたが、機器本体のサイド部分にポインティングデバイス等が設けられている場合には、電池パックにおいて、対応するサイド部分に回路基板を配置して、そのサイド部分の高さを低く設定することによって、ポインティングデバイス等との干渉を避けることができるので、同様に実施することができる。
【００２８】
上記実施形態では、機器本体２の一部領域にポインティングデバイス６が埋め込まれている場合を示したが、ポインティングデバイス以外のデバイス、例えば、ＣＰＵ、メモリ、ハードディスクなどの機能デバイスが機器本体の一部領域に埋め込まれている場合においても、同様に実施することができる。
上記実施形態では、ノートパソコンに電力を供給する電池パックを例に示したが、他にも、タブレットパソコン、薄型の電子楽器など、各種携帯用の薄型電子機器に電力を供給する電池パックにおいても同様に実施することができる。
【産業上の利用可能性】
【００２９】
本発明にかかる電池パックは、ノートパソコン用の電源をはじめとして、各種携帯用電子機器の電源として利用できる。
【符号の説明】
【００３０】
１    電池パック
１ａ  センター部分
１ｂ  左サイド部分
１ｃ  右サイド部分
２    機器本体
６    ポインティングデバイス
１０    ケース部材
１０ａ  センター部分
１０ｂ  左サイド部分
１０ｃ  右サイド部分
１１    底板部
１２    周壁部
２０    二次電池
２１    リード板
３０    回路基板
３１ａ〜３１ｃ  電子部品
４１，４２  ラベル
４３    ラベル
５０    ケース部材
５０ａ  中央部分
５０ｂ  左側部
５０ｃ  右側部
５１    窓
【図１】
2013114862.tif 000003
【図２】
2013114862.tif 000004
【図３】
2013114862.tif 000005
【図４】
2013114862.tif 000006